(57)【要約】【課題】生産性がよく、配線基板間の半田接合の信頼性を向上することができる表示装置を提供すること。【解決手段】表示装置は、表示駆動配線が形成された表示駆動配線基板が接続された表示素子と、前記表示素子の観察面の反対側に配置され、駆動信号が供給される駆動配線が形成された駆動配線基板が接続された電子装置と、前記表示素子と前記電子装置とを保持し、前記表示駆動配線基板と前記電子装置の前記駆動配線基板とをそれぞれ導出する配線基板導出部を有するフレームと、前記表示素子と前記電子装置を収納し、前記駆動配線基板を前記表示駆動配線基板の導出方向に向けて導くための配線基板押え端面を設けたケースとからなる。【選択図】      図２
2011186012.tif 000002
【特許請求の範囲】
【請求項１】
第１の駆動信号を供給する第１の配線基板が接続された表示素子と、
前記表示素子に重ねられるように配置され、第２の駆動信号を供給する第２の配線基板が接続された電子装置と、
前記表示素子と前記電子装置とを保持する枠状のフレームと、
前記表示素子、前記電子装置及び前記フレームを収納するケースと、を備える表示装置であって、
前記フレームは前記第１の配線基板と前記第２の配線基板とをそれぞれ該フレームの外側に向かって導く配線基板導出部を有し、
前記ケースは、前記第１の配線基板と前記第２の配線基板とのうち一方の配線基板に当接し且つ前記一方の配線基板を押圧することで他方の配線基板が配置されている側に向けて前記一方の配線基板を屈曲させる配線基板押え端面を有することを特徴とする表示装置。
【請求項２】
前記配線基板押え端面は、前記一方の配線基板と前記他方の配線基板との前記表示素子の表示面に対する高さが等しくなるように前記一方の配線基板を屈曲させることを特徴とする請求項１に記載の表示装置。
【請求項３】
前記ケースは、前記表示素子の表示面に重なる部分が開口され前記表示装置及び前記フレームを収納する上ケースと、該上ケースと係合され前記電子装置及び前記フレームを収納する下ケースとからなり、
前記下ケースと前記上ケースとがそれぞれ前記配線基板押え端面を有し、
前記下ケースが有する配線基板押え端面は前記第２の配線基板を前記第１の配線基板が配置されている側に向けて屈曲させ、
前記上ケースが有する配線基板押え端面は前記下ケースが有する配線基板押え端面により屈曲させられた前記第２の配線基板を前記第１の配線基板の導出する方向へ向けて屈曲させることを特徴とする請求項１または請求項２に記載の表示装置。
【請求項４】
前記上ケースが有する配線基板押え端面は、前記第２の配線基板を該第２の配線基板の先端が前記第１の配線基板の上面に配置されるように屈曲させることを特徴とする請求項３に記載の表示装置。
【請求項５】
前記配線基板導出部は、前記第１の配線基板を前記フレームの外側に導く第１の配線基板導出部と、前記第２の配線基板を前記フレームの外側に導く第２の配線基板導出部とを有することを特徴とする請求項１乃至請求項４のいずれかに記載の表示装置。
【請求項６】
前記フレームは、前記一方の配線基板に沿って形成され且つ前記配線基板押え端面と協働して前記他方の配線基板が配置されている側に向けて該一方の配線基板を導く傾斜面を有することを特徴とする請求項１乃至請求項５のいずれかに記載の表示装置。
【請求項７】
前記フレームは、前記一方の配線基板を該一方の配線基板の先端が前記他方の配線基板上面に配置されるように屈曲させるための配線基板押え部をさらに有することを特徴とする請求項１乃至請求項６のいずれかに記載の表示装置。
【請求項８】
前記表示素子は、電極が形成された一対の基板間に液晶層を封入した液晶表示素子を有し、
前記電子装置は、前記液晶表示素子と重ねられるように配置され、前記液晶表示素子に向けて光を照射するバックライトを有することを特徴とする請求項１乃至請求項７のいずれかに記載の表示装置。
【請求項９】
前記第１の配線基板は、前記液晶表示素子を駆動する駆動回路に複数の信号及び電源を供給する表示駆動用配線と、前記電子装置に駆動信号を供給する電子装置駆動用配線とが形成され、
前記第２の配線基板は前記バックライトを駆動するための信号を供給する光源用配線が形成され且つ前記第１の配線基板に接続されていることを特徴とする請求項８に記載の表示装置。
【請求項１０】
第１の駆動信号を供給する第１の配線基板が接続された表示素子と、
前記表示素子に重ねられるように配置され、第２の駆動信号を供給する第２の配線基板が接続された電子装置と、
前記表示素子及び前記電子装置を収納するケースと、を備える表示装置であって、
前記ケースは前記第１の配線基板と前記第２の配線基板との前記表示素子の表示面に対する高さが等しくなるように前記第１の配線基板と前記第２の配線基板とを前記ケースの外側に導出する配線基板導出開口部を有することを特徴とする表示装置。
【発明の詳細な説明】
【技術分野】
【０００１】
この発明は、表示素子の裏側に電子装置として例えばバックライトを配置した表示装置に関する。
【背景技術】
【０００２】
表示素子として液晶表示パネルを用い、その液晶表示パネルに重ねられるように、該液晶表示パネルを照明するバックライト等の電子装置を配置した液晶表示装置が広く用いられている。前記液晶表示パネルは、液晶表示素子と、この液晶表示素子の基板の一部に配置され、この液晶表示素子を駆動するための駆動回路を内蔵した集積回路と、前記駆動回路に複数の信号、電源等を供給する配線が形成され、前記液晶表示素子の基板上に形成された配線と接続される主配線基板とからなり、この主配線基板上には、前記バックライトの光源に電圧等を供給する光源用配線も形成されている。そして、前記バックライトは、発光ダイオード等の光源と、それらの光源が取り付けられ、電源等を供給するための配線を形成した光源用配線基板とからなり、この光源用配線基板は主配線基板の光源用配線に接続されている。前記主配線基板は、機器の制御回路に接続され、前記機器により前記表示素子の駆動と前記バックライトの点灯状態が制御される（特許文献１参照）。
【先行技術文献】
【特許文献】
【０００３】
【特許文献１】特開２００８−２９４１１４号公報
【発明の概要】
【発明が解決しようとする課題】
【０００４】
上述した液晶表示装置では、主配線基板が液晶表示素子の一方の基板の配線に接続され、バックライト用配線基板が、前記液晶表示素子に対して、プリズムシート、拡散シート等の複数の光学フィルムを介して配置される導光板の端面に設けられた発光ダイオード等の発光素子などを載置するものであるため、バックライト用配線基板は前記主配線基板と離間した状態で当該主配線基板と重ねられるように配置されており、前記バックライト用配線基板は前記主配線基板のバックライト配線の位置に向けて延出され、その先端が半田等により電気的に接続されていた。
【０００５】
したがって、表示面に対して異なる高さからケースの外側に向かって導出される配線基板同士を半田付けするため、両配線基板の位置を正確に保持することが難しく、作業性が悪いという問題があった。また、前記両配線基板が前記液晶表示装置の縁の近傍で折り曲げられるとき、前記バックライト用配線基板と前記主配線基板とが異なる曲率で曲げられる。よって、曲げによる前記バックライト用配線基板と前記主配線基板へかかる応力に違いが生じ、前記主配線基板の前記バックライト配線とバックライト用配線との半田接合が剥がれ易いという問題があった。
この発明は、生産性がよく、配線基板間の半田接合の信頼性を向上することができる表示装置を提供することを目的としたものである。
【課題を解決するための手段】
【０００６】
この発明の請求項１に記載の表示装置は、第１の駆動信号を供給する第１の配線基板が接続された表示素子と、前記表示素子に重ねられるように配置され、第２の駆動信号を供給する第２の配線基板が接続された電子装置と、前記表示素子と前記電子装置とを保持する枠状のフレームと、前記表示素子、前記電子装置及び前記フレームを収納するケースと、を備える表示装置であって、前記フレームは前記第１の配線基板と前記第２の配線基板とをそれぞれ該フレームの外側に向かって導く配線基板導出部を有し、前記ケースは、前記第１の配線基板と前記第２の配線基板とのうち一方の配線基板に当接し且つ前記一方の配線基板を押圧することで他方の配線基板が配置されている側に向けて前記一方の配線基板を屈曲させる配線基板押え端面を有することを特徴とする。
【０００７】
請求項２に記載の発明は、前記請求項１に記載の表示装置において、前記配線基板押え端面は、前記一方の配線基板と前記他方の配線基板との前記表示素子の表示面に対する高さが等しくなるように前記一方の配線基板を屈曲させることを特徴とする。
【０００８】
請求項３に記載の発明は、前記請求項１又は至請求項２に記載の表示装置において、前記ケースは、前記表示素子の表示面に重なる部分が開口され前記表示装置及び前記フレームを収納する上ケースと、該上ケースと係合され前記電子装置及び前記フレームを収納する下ケースとからなり、前記下ケースと前記上ケースとがそれぞれ前記配線基板押え端面を有し、前記下ケースが有する配線基板押え端面は前記第２の配線基板を前記第１の配線基板が配置されている側に向けて屈曲させ、前記上ケースが有する配線基板押え端面は前記下ケースが有する配線基板押え端面により屈曲させられた前記第２の配線基板を前記第１の配線基板の導出する方向へ向けて屈曲させることを特徴とする。
【０００９】
請求項４に記載の発明は、請求項３に記載の表示装置において、前記上ケースが有する配線基板押え端面は、前記第２の配線基板を該第２の配線基板の先端が前記第１の配線基板の上面に配置されるように屈曲させることを特徴とする。
【００１０】
請求項５に記載の発明は、前記請求項１乃至請求項４のいずれかに記載の表示装置において、前記配線基板導出部は、前記第１の配線基板を前記フレームの外側に導く第１の配線基板導出部と、前記第２の配線基板を前記フレームの外側に導く第２の配線基板導出部とを有することを特徴とする。
【００１１】
請求項６に記載の発明は、前記請求項１乃至請求項５のいずれかに記載の表示装置において、前記一方の配線基板に沿って形成され且つ前記配線基板押え端面と協働して前記他方の配線基板が配置されている側に向けて該一方の配線基板を導く傾斜面を有する。
【００１２】
請求項７に記載の発明は、前記請求項１乃至請求項６のいずれかに記載の表示装置において、前記フレームは、前記一方の配線基板を該一方の配線基板の先端が前記他方の配線基板上面に配置されるように屈曲させるための配線基板押え部をさらに有することを特徴とする。
【００１３】
請求項８に記載の発明は、前記請求項１乃至請求項７のいずれかに記載の表示装置において、前記表示素子は、電極が形成された一対の基板間に液晶層を封入した液晶表示素子を有し、前記電子装置は、前記液晶表示素子と重ねられるように配置され、前記液晶表示素子に向けて光を照射するバックライトを有することを特徴とする。
【００１４】
請求項９に記載の発明は、請求項８に記載の表示装置において、前記第１の配線基板は、前記液晶表示素子を駆動する駆動回路に複数の信号及び電源を供給する表示駆動用配線と、前記電子装置に駆動信号を供給する電子装置駆動用配線とが形成され、前記第２の配線基板は前記バックライトを駆動するための信号を供給する光源用配線が形成され且つ前記第１の配線基板に接続されていることを特徴とする。
【００１５】
請求項１０に記載の表示装置は、第１の駆動信号を供給する第１の配線基板が接続された表示素子と、前記表示素子に重ねられるように配置され、第２の駆動信号を供給する第２の配線基板が接続された電子装置と、前記表示素子及び前記電子装置を収納するケースと、を備える表示装置であって、前記ケースは前記第１の配線基板と前記第２の配線基板との前記表示素子の表示面に対する高さが等しくなるように前記第１の配線基板と前記第２の配線基板とを前記ケースの外側に導出する配線基板導出開口部を有することを特徴とする。
【発明の効果】
【００１６】
この発明の表示装置によれば、生産性がよく、配線基板間の半田接合の信頼性を向上することができる表示装置を提供することが出来る。
【図面の簡単な説明】
【００１７】
【図１】この発明の第１の実施形態を示す表示装置の斜視図。
【図２】第１の実施形態にかかる表示装置を、図１のII−II切断線から見た断面図。
【図３】第１の実施形態にかかる表示装置において、上ケースを取り除いた状態を示す斜視図。
【図４】この発明の表示装置に用いられるフレームの構造を示す斜視図。
【発明を実施するための形態】
【００１８】
図１乃至図４はこの発明の１つの実施形態を示しており、図１は表示装置の概略を示す斜視図、図２は前記表示装置をII−II切断線から見た断面図、図３は図１に示した表示装置において上ケースを装着する前の状態を示す斜視図、図４はこの実施形態におけるフレームの構造を示す斜視図である。
【００１９】
この発明の表示装置は、図１乃至図３に示すように、液晶表示素子等の非発光型の表示素子（以下、液晶表示素子１０という）と、映し出された画像が観察される観察側とは反対側に該液晶表示素子と重なるように配置されたバックライト等の電子装置（以下、バックライト２０という）と、これらの液晶表示素子１０とバックライト２０等を保持するフレーム３０と、これらを収納する上下のケース４０，５０と、前記上下のケース４０，５０から外側に向かって導出され、前記液晶表示素子１０を駆動するための複数の信号、電源を供給するための表示駆動用配線１９ａと、前記バックライト２０を駆動するための信号、電源をそれぞれ供給する電子装置駆動用配線１９ｂとが配置された第１の配線基板（以下、主配線基板１９という）と、同様に前記上下のケース４０，５０から外側に導出され、前記バックライト２０を駆動するための信号、電源を供給する光源用配線２５ａが配置された第２の配線基板（以下、光源用配線基板２５という）とから成っている。
【００２０】
前記液晶表示素子１０は、予め定めた間隙を設けて対向配置された一対の透明基板１１，１２と、これらの一対の透明基板１１，１２の互いに向き合う面の少なくとも一方に形成された図示しない複数の透明電極と、これらの透明基板１１，１２間の間隙に封入された液晶１６と、前記一対の透明基板１１，１２間に前記液晶１６を封入するためのシール材１３と、前記一対の透明基板１１，１２を挟んで配置された一対の偏光板１４，１５とを備えている。透明基板１１のうち偏光板１４と向き合う面が画像表示される表示面５１となる。
【００２１】
この液晶表示素子１０は、その一方の基板１２、すなわち液晶表示素子の観察側とは反対側の基板１２の一辺が延長され、その延長部分１２ａに前記液晶表示素子１０を駆動するための駆動回路を内蔵した集積回路１８と、これらの集積回路１８と前記透明電極を接続する複数の配線１２ｂと、前記集積回路１８と前記一方の基板１２の一辺に配列された端子とを接続する複数の配線１２ｃが形成されている。前記端子には、この端子を介して前記集積回路１８に複数の信号、電源等の駆動信号を供給するための表示用駆動配線１９ａが形成された主配線基板１９が接続され、この主配線基板１９は前記液晶表示素子１０の一方の基板１２からその基板面と平行な方向に延出している。また、前記主配線基板１９には、前記バックライト２０を駆動するための信号、電源等を供給するための電子装置駆動用配線１９ｂも形成されている。
【００２２】
上記液晶表示素子１０としては、液晶１６の液晶分子を、前記一対の透明基板１１，１２間で実質的に９０°ツイスト配向させたツイステッドネマチック型の液晶表示素子、前記一対の透明基板１１，１２間で液晶分子を９０°以上ツイスト配向させたＳＴＮ型、液晶分子を透明基板１１，１２面に対して実質的に垂直に配向させた垂直配向型、液晶分子の分子長軸を一方向に揃えて透明基板１１，１２の面と実質的に平行に配向させた非ツイストの水平配向型、液晶分子をベンド配向させるベンド配向型、あるいは強誘電性または反強誘電性液晶表示素子のいずれでも適用することができる。
【００２３】
また、前記液晶表示素子１０としては、一対の透明基板１１，１２のいずれか一方、例えば液晶表示素子の観察側とは反対側の基板１２の内面に、複数の画素を形成するための画素電極と、前記画素電極と絶縁して形成された複数の対向電極とを設け、これらの電極間に横電界（基板面に沿う方向の電界）を生じさせて液晶分子の配向状態を変化させる横電界制御型であってもよい。さらには、薄膜トランジスタを用いたアクティブ駆動型、あるいは複数の行電極と複数の列電極とを互いに交差させて配置したパッシブ駆動型の液晶表示素子であっても良い。
【００２４】
前記液晶表示素子１０の裏面側に配置されたバックライト２０は、透明な矩形形状の導光板２１を備え、該導光板の一方の辺に設けられた入射端面２１ａから入射した光を、一方の光出射面２１ｂから出射させる。また、バックライト２０は前記導光板２１の液晶表示素子の観察側とは反対側に出射する光を反射する反射板２２と、前記導光板２１の液晶表示素子の観察側に配置され複数のプリズムシート２３ａ，２３ｂ、拡散シート２３ｃ等からなる光学フィルム２３と、前記導光板２１の入射端面２１ａに対向させて配置された光源２４と、この光源２４に電力を供給する光源用配線基板２５とを備えている。
【００２５】
前記導光板２１は、透明なアクリル樹脂等を矩形に成型したものであり、前記入射端面２１ａに１つ又は複数個のＬＥＤ（発光ダイオード）等の光源２４が配置され、これらの光源２４は前記光源用配線基板２５の一方の端に位置する基板面２５ｃに設置され、この光源用配線基板２５の基板面２５ｃに形成された光源用配線２５ａに接続されている。また、前記光源用配線基板２５の先端２５ｄには、前記主配線基板１９の前記電子装置駆動用配線１９ｂに接続するための端子２５ｂが設けられ、この端子２５ｂは前記電子装置駆動用配線１９ｂに半田１９ｃによって接続されている。前記バックライト２０の光源２４は、前記電子装置駆動用配線１９ｂから前記端子２５ｂ及び前記光源用配線２５ａを介して供給される電流により点灯状態が制御される。
【００２６】
前記反射板２２は、光反射特性を持った樹脂フィルム、または、金属膜をコーティングした樹脂フィルム等からなり、前記導光板２１に入射した光のうち、前記導光板２１から前記液晶表示素子１０の方向以外の方向に出射する光の少なくとも一部を再び前記導光板２１内へ戻して前記導光板２１の光出射面２１ｂから前記液晶表示素子１０へ向けて出射するように、前記導光板２１の液晶表示素子１０の観察側とは反対側に配置されている。
【００２７】
前記液晶表示素子１０と前記バックライト２０は、樹脂によって形成されたフレーム３０によって保持されている。このフレーム３０は、図４で示すように、矩形枠状のバックライト保持部３０ｂと、バックライト保持部３０ｂから一体的に該バックライト保持部３０ｂの内側に向かって突出し形成さている表示素子保持枠部３０ａとからなっている。この表示素子保持枠部３０ａは液晶表示素子表示１０の観察側とは反対側の周縁部に一方の面が当接し、他方の面がバックライト２０の観察側の周縁部に当接して、該液晶表示素子１０とバックライト２０とを支持する形状に成形されている。
【００２８】
前記フレーム３０のバックライト保持部３０ｂには、前記基板１２の延長部分１２ａに接続された主配線基板１９をフレーム３０の外側に導く主配線基板導出部３０ｃが形成されている。また、バックライト２０に接続された光源用配線基板２５をフレーム３０の外側に導く光源用配線基板導出部３０ｄが形成されている。そして、この光源用配線基板導出部３０ｄに沿って形成され、前記光源用配線基板２５を主配線基板１９が配置されている側に屈曲させるためのガイドとなる傾斜面３０ｅと、光源用配線基板２５の先端が主配線基板１９上面に配置されるように屈曲させる配線基板押え部３０ｆとが形成されている。
【００２９】
そして、前記フレーム３０の表示素子保持枠部３０ａには、液晶表示素子１０の観察側から該表示素子保持枠部３０ａに重ねられるように前記液晶表示素子１０が配置されて粘着材１７によって液晶表示素子１０と表示素子保持枠部３０ａが接着される。また、観察側とは反対側から前記表示素子保持枠部３０ａに重ねられるように、前記光学フィルム２３と反射板２２とが貼り付けられた導光板２１が配置され、このフレーム３０の観察側とは反対側からバックライト２０の底面と液晶表示素子１０の側面とバックライト２０の側面を覆う箱型形状の下ケース４０を嵌め込むことによって、前記バックライト２０と液晶表示素子１０とフレーム３０とが下ケース４０に収納される。
【００３０】
前記上ケース５０は、前記フレーム３０に収納された前記液晶表示素子１０の表示面に重なる部分が開口された開口部５０ａが形成され、前記表示領域の周囲を覆う前板５０ｂと、前記フレーム３０を取り囲む側壁部５０ｃとからなっている。そして、前記上ケース５０の側壁部５０ｃと前記下ケース４０の側壁部４０ａが合わさった部分であって、前記フレーム３０から外側に向かって導出される前記主配線基板１９と光源用配線基板２５に対応する部分には、切り欠きからなる配線基板導出開口部４０ｂ，５０ｄが形成されており、前記上ケース５０の配線基板導出口５０ｄに設けられた前記切り欠きの端面が、該光源用配線基板２５を前記主配線基板１９の導出方向と略一致する方向へ向けて屈曲させるための配線基板押え端面５０ｅを構成している。
【００３１】
上述した表示装置は、光学フィルム２３、光源２４と光源用配線基板２５が接続された導光板２１、反射板２２を、液晶表示素子１０の観察側の反対側から前記フレーム３０の前記表示素子保持枠部３０ａに重なるように配置し保持するとともに、前記光源用配線基板２５の一方の端を前記バックライト保持部３０ｂに設けた傾斜面３０ｅに沿って屈曲させて配置し、これらの液晶表示素子１０とバックライト２０等を保持した前記フレーム３０を、下ケース４０に収納する。これにより、前記光源用配線基板２５は下ケース４０の配線基板導出開口部４０ｂの押え端面４０ｃとフレーム３０の配線基板押さえ部３０ｆとにより、前記フレーム３０の傾斜面３０ｅに沿って屈曲され、また前記主配線基板１９の導出方向に屈曲される。
【００３２】
次に、図３に示すように、主配線基板１９が接続された液晶表示素子１０を、前記フレーム３０の前記主配線基板導出部３０ｃに前記主配線基板１９を対応させた状態で、表示素子保持枠部３０ａに配置し、前記光源用配線基板２５の端子２５ｂを前記主配線基板１９の上に配置させる。
【００３３】
その後、下ケース４０が装着されたフレーム３０と液晶表示素子１０の周辺とを覆うようにして該液晶表示素子１０の観察側から下ケース４０に上ケース５０を係合する。そして前記下ケース４０の配線基板導出開口部４０ｂに形成された配線基板押え端面４０ｃは光源用配線基板２５に当接し、且つ前記光源用配線基板２５を押圧することで前記光源用配線基板２５を屈曲させ、主配線基板１９が配置されている側に向けて光源用配線基板２５を導く。そして、上ケース５０の配線基板導出口５０ｄに形成された配線基板押え端面５０ｅが、主配線基板１９を液晶表示素子１０の観察側から支え、さらに、屈曲させられた光源用配線基板２５を観察側から押えて、前記光源用配線基板２５の先端２５ｄの端子２５ｂを主配線基板１９に設けた電子装置駆動用配線１９ｂの接続端子１９ｄと接続する位置に保持する。
【００３４】
その後、前記主配線基板１９に設けた電子装置駆動用配線１９ｂの接続端子１９ｄと、その位置に対応させて配置された光源用配線基板２５の端子２５ｂとを半田１９ｃで接続し、液晶表示装置を完成させる。
【００３５】
上述した上下のケース４０，５０に設けた配線基板導出開口部４０ｂ，５０ｄは、上下のケース４０，５０を閉じたとき、前記下ケース４０の配線基板導出開口部４０ｂの配線基板押え端面４０ｃが、前記光源用配線基板２５を観察側の反対側から押圧することで前記主配線基板１９が配置されている側に向けて前記光源用配線基板２５を屈曲させ、前記上ケース５０の配線基板導出口５０ｄの配線基板押え端面５０ｅが屈曲させられた前記光源用配線基板２５を前記主配線基板１９が導出する方向と同じ方向に向けて屈曲させることが出来るように、前記配線基板導出開口部４０ｂ，５０ｄの上下の端面の高さが設定されている。より好ましくは、前記光源用配線基板２５の端子２５ｂが、前記主配線基板１９の電子装置駆動用配線１９ｂの位置に配置されるように前記光源用配線基板２５を屈曲させる高さに前記配線基板導出開口部４０ｂ，５０ｄの上下の配線基板押え端面４０ｃ，５０ｅを設定することである。
【００３６】
上述した実施形態の表示装置は、主配線基板１９が接続された液晶表示素子１０と、前記光源用配線基板２５が接続されたバックライト２０とをフレーム３０に保持し、このフレーム３０を配線基板導出開口部４０ｂ，５０ｄを設けた上下のケース４０，５０に収納することにより、前記上下のケース４０，５０の配線基板導出開口部４０ｂ，５０ｄのそれぞれの配線基板押え端面４０ｃ，５０ｅと、これに加えて前記フレーム３０の光源用配線導出部３０ｄによって前記光源用配線基板２５が屈曲され、液晶表示素子１０の表示面５１に対する高さが前記主配線基板１９と略一致した位置から上下のケース４０，５０の外側に向かって導出され、且つ光源用配線基板２５の先端が主配線基板１９の上面に配置されるよう光源用配線基板２５が屈曲されるので、前記主配線基板１９の電子装置駆動用配線１９ｂと前記光源用配線基板２５の一方端の端子との間の位置きめが容易になり、半田付け作業の効率が向上する。
また、表示面５１に対する前記主配線基板１９と前記光源用配線基板２５の上下ケース４０，５０から導出する高さが略一致しているので、前記主配線基板１９をケース４０，５０の外側で屈曲させてこの表示装置を機器に収納する場合でも、前記主配線基板１９と前記光源用配線基板２５との間に屈曲による曲率の差がほとんど生じないため、前記半田１９ｃに集中した応力が働くことがなく、半田付け部の信頼性が向上する。
【００３７】
尚、上述した実施形態では、前記フレーム３０の表示素子保持枠部３０ａに粘着材１７を配置し、この粘着材１７によって液晶表示パネル１０と前記フレーム３０とを固定するようにした実施形態を例示したが、この発明の表示装置は、これに限ることなく、液晶表示パネル１０や導光板２１等を上下のケース４０，５０で挟み込むことによって固定するものであっても良い。
【００３８】
上述したように、この発明の表示装置は、駆動回路に駆動信号を供給する主配線基板１９が接続された液晶表示素子１０と、前記液晶表示素子１０に重ねられるように配置され、駆動信号を供給する光源用配線基板２５が接続されたバックライト２０と、前記液晶表示素子１０と前記バックライト２０とを保持する枠状のフレーム３０と、前記液晶表示素子、前記バックライト２０及び前記フレーム３０を収納するケース４０，５０とを備える表示装置であって、前記フレーム３０は前記液晶表示素子１０の主配線基板１９と、前記バックライト２０の光源用配線基板２５とをそれぞれフレーム３０の外側に向かって導く配線基板導出部３０ｃ、３０ｄを有し、前記ケース４０，５０は前記光源用配線基板２５に当接し且つ前記光源用配線基板２５を押圧することで前記光源用配線基板２５を屈曲させ、主配線基板１９が配置されている側に向けて前記光源用配線基板２５を導く配線基板押え端面４０ｃ，５０ｅを有しているので、前記主配線基板１９に前記光源用配線基板２５を接近させて配置することができ、半田付け等の作業の効率を向上させることができる。
【００３９】
この表示装置において、配線基板押え端面４０ｃ、５０ｅは主配線基板１９と前記光源用配線基板２５との液晶表示素子１０の表示面に対する高さが等しくなるように前記光源用配線基板２５を屈曲させることが好ましく、この構成によれば、前記主配線基板１９と前記光源用配線基板２５を同時に屈曲させたとしても同じ曲率で曲げられるため、いずれか一方に集中した応力が働くことがなく、半田付け等により接続した場合の信頼性が向上する。
【００４０】
また、この表示装置において、前記ケース４０，５０は前記液晶表示素子１０の表示面に重なる部分が開口され、前記液晶表示装置１０及び前記フレーム３０を収納する上ケース５０と、該上ケース５０と係合されバックライト２０及びフレーム３０を収納する下ケース４０とからなり、下ケース４０と上ケース５０とがそれぞれ配線基板押え端面を有し、前記下ケース４０が有する配線基板押え端面４０ｃは、光源用配線基板２５を前記主配線基板１９が配置されている側に向けて屈曲させ、前記上ケース５０が有する配線基板押え端面５０ｅは前記下ケース４０が有する前記配線基板押え端面４０ｃにより屈曲させられた光源用配線基板２５を前記主配線基板１９の導出する方向へ向けて屈曲させたので、前記バックライト２０と前記液晶表示素子１０とを保持したフレーム３０を下及び上ケース４０，５０に収納する過程で、前記主配線基板１９に前記光源用配線基板２５を接近させて配置することができ、製造が容易になる。
【００４１】
さらにこの実施形態の表示装置において、前記上ケース５０が有する配線基板押え端面５０ｅは、前記光源用配線基板２５を、該光源用配線基板２５の先端２５ｄが前記主配線基板１９の上面に配置されるように屈曲させることが好ましく、この構成によれば、単純な構造により前記主配線基板１９と、前記光源用配線基板２５とを簡単に半田付けできるように前記主配線基板１９と前記光源用配線基板２５とを配置させることができる。
【００４２】
そして、この実施形態の表示装置において、前記フレーム３０は、前記光源用配線基板２５に沿って形成され且つ前記配線基板押え端面４０ｃと協働して光源用配線基板２５を主配線基板１９が配置されている側に向けて導く傾斜面３０ｅをさらに有しているため、前記光源用配線基板２５を主配線基板１９が配置されている側に向けて案内することができる。
【００４３】
またさらに、この実施形態の表示装置において、前記フレーム３０は、前記光源用配線基板２５を該光源用配線基板２５の先端２５ｂが前記主配線基板１９上面に配置されるように屈曲させるための配線基板押え部３０ｆをさらに有しているので、前記光源用配線基板２５を前記主配線基板１９の上面に導くことができ、前記光源用配線基板２５と前記主配線基板１９とを接続しやすくすることができる。
【符号の説明】
【００４４】
１０…液晶表示素子、１１，１２…透明基板、１２ａ…延長部分、１２ｂ、１２ｃ…配線、１３…シール材、１４，１５…偏光板、１６…液晶、１７…粘着材、１８…集積回路、１９…主配線基板、１９ａ…表示駆動用配線、１９ｂ…電子装置駆動用配線、１９ｃ…半田、１９ｄ…接続端子、２０…バックライト、２１…導光板、２１ａ…入射端面、２２…反射板、２３…光学フィルム、２３ａ，２３ｂ…プリズムシート、２３ｃ…拡散シート、２４…光源、２５…光源用配線基板、２５ａ…光源用配線、２５ｂ…端子、２５ｃ…基板面、２５ｄ…先端、３０…フレーム、３０ａ…表示素子保持枠部、３０ｂ…バックライト保持部、３０ｃ…主配線基板導出部（第１の配線基板導出部）、３０ｄ…光源用配線基板導出部（第２の配線基板導出部）、３０ｅ…傾斜面、３０ｆ…配線基板押え部、４０…下ケース、４０ａ…側壁部、４０ｂ…配線基板導出開口部、４０ｃ…配線基板押え端面、５０…上ケース、５０ａ…開口部、５０ｂ…前板、５０ｃ…側壁部、５０ｄ…配線基板導出開口部、５０ｅ…配線基板押え端面、５１…表示面
【図１】
2011186012.tif 000003
【図２】
2011186012.tif 000004
【図３】
2011186012.tif 000005
【図４】
2011186012.tif 000006